(57)【要約】      （修正有）【課題】どんぶりや皿などの器を使用する料理において使い勝手がよい飲食容器を提供する。【解決手段】飲食物を収容する収容部１０ｇと、載置面と当接する台座部３０ｇと、を備える飲食容器１００ｇであって、収容部の下端中央部と台座部の上端中央部とを接続する脚部２０ｇを備え、収容部は、開口の周囲部分である縁部１１ｇと、本体部分である胴部１２ｇとを有し、縁部は、上端の端から端までの距離が最も長い部分を横幅とし、横幅と直交する上端の端から端までの距離を奥行幅とすると、横幅が１００ｍｍ以上で、奥行幅が１００ｍｍ以上である。【選択図】図１５
0003232419.tif 000002
【実用新案登録請求の範囲】
【請求項１】
飲食物を収容する収容部と、
載置面と当接する台座部と、を備える飲食容器であって、
前記収容部の下端中央部と前記台座部の上端中央部とを接続する脚部を備え、
前記収容部は、開口の周囲部分である縁部と、本体部分である胴部とを有し、前記縁部は、上端の端から端までの距離が最も長い部分を横幅とし、前記横幅と直交する上端の端から端までの距離を奥行幅とすると、前記横幅が１００ｍｍ以上で、前記奥行幅が１００ｍｍ以上である
ことを特徴とする飲食容器。
【請求項２】
飲食物を収容する収容部と、
載置面と当接する台座部と、を備える飲食容器であって、
前記収容部の下端中央部以外の部分と前記台座部の上端中央部以外の部分とを接続する一対の握り部を備え、
前記収容部は、開口の周囲部分である縁部と、本体部分である胴部とを有し、前記縁部は、上端の端から端までの距離が最も長い部分を横幅とし、前記横幅と直交する上端の端から端までの距離を奥行幅とすると、前記横幅が１００ｍｍ以上で、前記奥行幅が１００ｍｍ以上である
ことを特徴とする飲食容器。
【請求項３】
請求項１または２に記載の飲食容器であって、
透光性を有するプラスチック樹脂で形成されている
ことを特徴とする飲食容器。
【請求項４】
請求項１〜３のいずれか一項に記載の飲食容器であって、
前記収容部に被さる蓋部を備える
ことを特徴とする飲食容器。
【請求項５】
請求項１〜４のいずれか一項に記載の飲食容器であって、
前記台座部は、下端の端から端までの距離が最も長い部分を横幅とし、前記横幅と直交する下端の端から端までの距離を奥行幅とすると、前記横幅が９０ｍｍ以上で、前記奥行幅が９０ｍｍ以上である
ことを特徴とする飲食容器。
【請求項６】
請求項１〜５のいずれか一項に記載の飲食容器であって、
前記収容部は、中心線に対して非対称に形成されている
ことを特徴とする飲食容器。
【請求項７】
請求項１に記載の飲食容器であって、
前記収容部の下端中央部以外の部分と前記台座部の上端中央部以外の部分とを接続する握り部を備える
ことを特徴とする飲食容器。
【請求項８】
請求項２に記載の飲食容器であって、
前記収容部の下端中央部と前記台座部の上端中央部とを接続する脚部を備える
ことを特徴とする飲食容器。
【考案の詳細な説明】
【技術分野】
【０００１】
本考案は、飲食容器に関する。
【背景技術】
【０００２】
従来から、丼料理や麺料理には、どんぶりが使用されている。どんぶりは、深さを有する容器でありながら持ち手がなく、料理の提供に際して、どんぶりの縁に指をかけることが多く、衛生的ではない。そこで、配膳時に指をかける場所を明確にしたどんぶりが提案されている。
【先行技術文献】
【特許文献】
【０００３】
【特許文献１】実用新案登録第３１７９９８９号公報
【考案の概要】
【考案が解決しようとする課題】
【０００４】
しかしながら、上記飲食容器は、配膳時に指をかける場所が、たとえ提供者側の従業員に周知であるとしても、食事をする飲食者側が周知であるとは限らず、飲食者がその場所に口を当ててしまう恐れがある。また、どんぶり自体が熱を通しやすいため配膳の際に手が熱くなる。
【０００５】
また、配膳時に手袋をすることも考えられるが、手袋の交換頻度によっては必ずしも手で触るより衛生的であるとは言えない場合がある。
【０００６】
本考案の目的は、どんぶりや皿などの器を使用する飲食物において使い勝手がよい飲食容器を提供することにある。
【課題を解決するための手段】
【０００７】
本考案は、上記課題の少なくとも１つを解決するものであるが、その例を挙げるならば、次の通りである。すなわち、本考案の一態様に係る飲食容器は、飲食物を収容する収容部と、載置面と当接する台座部と、を備える飲食容器であって、前記収容部の下端中央部と前記台座部の上端中央部とを接続する脚部を備え、前記収容部は、開口の周囲部分である縁部と、本体部分である胴部とを有し、前記縁部は、上端の端から端までの距離が最も長い部分を横幅とし、前記横幅と直交する上端の端から端までの距離を奥行幅とすると、前記横幅が１００ｍｍ以上で、前記奥行幅が１００ｍｍ以上である。
【０００８】
また、本考案の他の一態様に係る飲食容器は、飲食物を収容する収容部と、載置面と当接する台座部と、を備える飲食容器であって、前記収容部の下端中央部以外の部分と前記台座部の上端中央部以外の部分とを接続する一対の握り部を備え、前記収容部は、開口の周囲部分である縁部と、本体部分である胴部とを有し、前記縁部は、上端の端から端までの距離が最も長い部分を横幅とし、前記横幅と直交する上端の端から端までの距離を奥行幅とすると、前記横幅が１００ｍｍ以上で、前記奥行幅が１００ｍｍ以上である。
【０００９】
上記いずれの飲食容器において、透光性を有するプラスチック樹脂で形成されていてもよい。
【００１０】
上記いずれの飲食容器において、前記収容部に被さる蓋部を備えてもよい。
【００１１】
上記飲食容器において、前記台座部は、下端の端から端までの距離が最も長い部分を横幅とし、前記横幅と直交する下端の端から端までの距離を奥行幅とすると、前記横幅が９０ｍｍ以上で、前記奥行幅が９０ｍｍ以上であってもよい。
【００１２】
上記いずれの飲食容器において、前記収容部は、中心線に対して非対称に形成されていてもよい。
【００１３】
上記いずれの飲食容器において、前記収容部の下端中央部以外の部分と前記台座部の上端中央部以外の部分とを接続する握り部を備えてもよい。
【００１４】
上記いずれの飲食容器において、前記収容部の下端中央部と前記台座部の上端中央部とを接続する脚部を備えてもよい。
【考案の効果】
【００１５】
本考案によれば、どんぶりや皿などの器を使用する飲食物において使い勝手がよい飲食容器を提供することができる。
【００１６】
上記した以外の課題、構成および効果は、以下の実施形態の説明により明らかにされる。
【図面の簡単な説明】
【００１７】
【図１】本考案の実施形態１に係る飲食容器の一例を示す図である。
【図２】図１の飲食容器の平面図である。
【図３】図１の飲食容器の使用状態を示す図である。
【図４】図１の飲食容器の使用状態を示す図である。
【図５】本考案の他の一例に係る飲食容器を示す図である。
【図６】本考案の他の一例に係る飲食容器を示す図である。
【図７】図６の飲食容器の平面図である。
【図８】本考案の他の一例に係る飲食容器を示す図である。
【図９】図８の飲食容器の平面図である。
【図１０】本考案の他の一例に係る飲食容器を示す図である。
【図１１】図１０の飲食容器の平面図である。
【図１２】本考案の他の一例に係る飲食容器の一例を示す図である。
【図１３】本考案の他の一例に係る飲食容器の一例を示す図である。
【図１４】図１３の飲食容器の底面図である。
【図１５】本考案の実施形態２に係る飲食容器の一例を示す図である。
【図１６】本考案の実施形態３に係る飲食容器の一例を示す図である。
【図１７】本考案の実施形態４に係る飲食容器の一例を示す図である。
【図１８】本考案の実施形態４の変形例１に係る飲食容器の一例を示す図である。
【図１９】本考案の実施形態５に係る飲食容器の一例を示す図である。
【図２０】本考案の実施形態６に係る飲食容器の一例を示す図である。
【図２１】本考案に係る飲食容器の飲食物提供方法の一例を示す図である。
【図２２】本考案に係る飲食容器の飲食物提供方法の一例を示す図である。
【図２３】本考案に係る飲食容器の飲食物提供方法の一例を示す図である。
【図２４】本考案に係る飲食容器の飲食物提供方法の一例を示す図である。
【図２５】本考案に係る飲食容器の飲食物提供方法の一例を示す図である。
【考案を実施するための形態】
【００１８】
以下、図面を参照して本願の飲食容器の実施形態の例を説明する。以下の説明では同様な構成については同様な符号を付してその説明を省略することがある。
【００１９】
＜実施形態１＞
図１〜図４は、本考案の実施形態１に係る飲食容器の一例である飲食容器１００を示す図で、図１は正面図、図２は平面図、図３および図４は使用状態の例を示す図である。以下では、図１に示すＸ方向を幅方向（水平方向）とし、Ｙ方向を深さ方向（上下方向、垂直方向）として説明する。
【００２０】
飲食容器１００は、飲食に使用する容器で、例えば、どんぶりである。飲食容器１００は、飲食物を収容する収容部１０と、テーブル等の載置面と当接する台座部３０と、収容部１０の下端中央部と台座部３０の上端中央部とを接続し、飲食者の指が掛かる脚部２０とを含む。
【００２１】
飲食容器１００は、図示のように収容部１０、脚部２０、および、台座部３０が一体に形成されてもよいし、後述例のように２以上に別体に形成されてから接続されてもよい。また、図示しないが脚部２０を台座部３０に差し込みし据え置きするものでも良い。
【００２２】
収容部１０は、一端（上端）が開口する容器状の部分である。収容部１０は、開口の周囲部分である縁部１１と、本体部分である胴部１２と、を含む。
【００２３】
収容部１０は、一例として、全体として、平面視略円形状に形成される。なお、楕円形状、略三角形状等他の形状でもよい。収容部１０は、図示のように、深くなるにつれて、幅が一旦大きくなるように拡幅してから、幅が小さくなるように縮幅する形状でもよい。胴部１２より縁部１１が広く形成されていてもよい。
【００２４】
縁部１１は、前述のように平面視略円形状である。縁部１１の横幅（上端の端から端までの距離が最も長い部分）をＷ１、横幅と直交する上端の端から端までの距離を奥行幅Ｗ２、とすると、横幅Ｗ１は、例えば、１１０ｍｍ以上で、好ましくは１２０ｍｍ〜２５０ｍｍで、より好ましくは、１３０ｍｍ〜１８０ｍｍである。また、奥行幅Ｗ２は、一例として、１１０ｍｍ以上で、好ましくは１２０ｍｍ〜２５０ｍｍで、より好ましくは、１３０ｍｍ〜１８０ｍｍである。
【００２５】
縁部１１の厚さは、ブロー形成時に、縁部から胴部にかけて肉厚が厚くなる傾向がある。ここでは、縁部１１付近の厚さが、例えば、１．０ｍｍ〜１２ｍｍ、好ましくは、１．５ｍｍ〜７．０ｍｍ、より好ましくは１．８ｍｍ〜５．０ｍｍとなるように、飲食容器１００の厚みを設定する。
【００２６】
胴部１２は、前述のように平面視において略円形状である。胴部１２の平面形状は、例えば、円形以外の三角形状や多角形状でもよい。また、後述の例のように、胴部に装飾が施されていてもよい。
【００２７】
縁部１１には、飲み口部１４が設けられる。飲み口部１４は、その外周の一部が外側に向かって円弧形状に膨出してなる部分である。ここでは、図２に示すように、飲み口部１４は、縁部１１において径方向外側に円弧状に膨出する部分である。飲み口部１４の円弧形状の半径は、例えば、６ｍｍ以上、好ましくは８ｍｍから２５ｍｍ、より好ましくは１０ｍｍ〜２０ｍｍである。
【００２８】
飲食容器１００の深さ（上端から下端の内壁面までの距離）は、例えば、８０ｍｍ〜２００ｍｍ、好ましくは、９０ｍｍ〜１８０ｍｍ、より好ましくは１００ｍｍ〜１６０ｍｍである。また、フルーツ料理用では、５０ｍｍ〜１２０ｍｍ、サラダ料理用では、６０ｍｍ〜１８０ｍｍとすることができる。さらに、例えばうな重用などとして略長方形の形状とし、深さを５０ｍｍ〜１４０ｍｍとしても良い。
【００２９】
飲み口部１４は、図１に示すように、正面視において、径方向に膨出（延出）して中心線Ａに対して外側へ傾斜し、胴部１２の縁部に隣接する部分が中心線Ａに対して内側へ傾斜するため、飲み口部１４は、胴部１２の隣接部分とで略くの字形状部分（Ｃ部）を形成する。Ｃ部は、Ｙ方向において開口端から３ｍｍ以上の長さを有する。C部は、好ましくは、正面視において曲線状に形成され、曲率半径が、例えば５．０ｍｍ〜２０ｍｍ、より好ましくは６．０ｍｍ〜１５ｍｍである。
【００３０】
飲食容器１００は、縁部１１が広く形成されても、図２に示すように飲み口部１４を有することで、唇が掛かりやすく、汁が飲みやすくなる。また、飲み口部１４を設けることで、縁部１１の強度を高めて、成形時の縁部の撓みを抑制し、使用時の変形も減らすことができる。縁部が広ければ（広く開口していれば）、変形しやすくなるが、飲み口部１４により縁部がリブ状になることで変形防止に有効である。ブロー成型で形成する際には肉厚が薄い傾向があり、さらに有効である。また、ここでは図示しないが、縁部の周辺に凸状のリブを設けて変形防止しても良い。
【００３１】
飲み口部１４は、複数設けられてもよい。例えば、図示のように４つの飲み口部１４が設けられていてもよい。
【００３２】
飲み口部１４は、複数設けられる場合、円弧形状の半径が、それぞれ異なってもよいし、一部が異なっていてもよい。例えば、図示のように、４つの飲み口部１４の場合、異なる２種類の半径ｒ１、ｒ２を有するものとしてもよい。飲み口部１４の円弧形状の半径は、飲食者の唇の大きさを考慮して半径を異ならせてもよいし、料理の種類によって異ならせてもよい。例えば、円弧形状の半径を、麺料理では３５ｍｍ以下とし、丼物では３５ｍｍ以上とすれば、麺と汁を同時にすすったり、ご飯をかき込むことが容易となる。
【００３３】
脚部２０は、上下に伸びる棒状部分で、中空のパイプ状に形成されてもよいし、中実に形成されてもよい。脚部２０の長さＬ１は、例えば、２０ｍｍ以上で、好ましくは、４０ｍｍ〜１６０ｍｍである。また、フルーツ料理用では６０ｍｍ〜１６０ｍｍｍｍ、サラダ料理用では、２０ｍｍ〜１００ｍｍ、ラーメン料理用では、３０ｍｍ〜８０ｍｍとすることができる。また、脚部２０の幅Ｄ（太さ・直径）は、例えば、１０ｍｍ以上で、好ましくは、１５ｍｍ〜４０ｍｍである。脚部２０を台座部３０に差し込んで使用するときには、台座部３０側の幅Ｄ１（太さ・直径）は、例えば、３０ｍｍ〜６０ｍｍである。脚部２０は、指を底部１３と台座部３０の間に挟み込む形で持つ持ち方や、脚部２０を親指と人差し指や中指で持つことや、脚部２０を手で握って持つ持ち方があり、それに応じて長さＬ１が異なってくる。また、フルーツなどをおしゃれに飾った場合は、脚部２０を長くすることでおしゃれな感覚を演出することができる。
【００３４】
脚部２０は、上端が収容部１０の下端中央部と繋がり、下端が台座部３０の上端中央部に連なる。すなわち、脚部２０は、中心線Ａ上に設けられる。脚部２０は、下端に向かって緩やかに広がる形状でもよい。
【００３５】
脚部２０は、収容部１０と同様に、平面視略円形状に形成されてもよいし、略楕円形状や略三角形状に形成されてもよい。
【００３６】
台座部３０は、脚部２０からフランジ状に広がる部分で、上端が脚部２０の下端と連なり、下端がテーブル等の載置面に載置される載置端となる。台座部３０は、平面視略円形状に形成されているが、楕円形、三角形、多角形等他の形状、さらには少なくとも３本以上の足が周囲に広がる様に形成されもよい。また、台座部３０は、中空に形成されてもよいし、中実に形成されてもよい。
【００３７】
台座部３０は、飲食容器１００全体の安定度を保つため、水平方向の横幅（下端の端から端までの距離が最も長い部分）、奥行幅（前述横幅と直交する下端の端から端までの距離）、または足を設けた場合は足の接地部が中心軸からの最大距離の２倍長が、飲食容器１００の全体の高さ（Ｙ方向の全長）の２／５以上、より好ましくは１／２以上に形成される。
【００３８】
台座部３０は、平面視円形に形成される場合、直径Ｗｂは、例えば、６０ｍｍ以上で、好ましくは、８０ｍｍ〜１５０ｍｍ、より好ましくは８０ｍｍ〜１３０ｍｍである。このように幅広く形成することで、飲食容器１００が載置時に安定すると共に持ち上げやすくなる。
【００３９】
図３に示すように、飲食容器１００は、脚部２０と台座部３０を備えるため、収容部１０の位置が高くなり、飲食者は背を丸めなくても喫食ができる。また、図４に示すように、脚部２０を手で掴めば飲食容器１００を安定して持ち上げることができ、飲食容器１００を傾ければ、飲み口部１４から容易に汁を飲むことができる。
【００４０】
飲食容器１００は、例えば、少なくとも収容部１０が透光性を有する素材で形成され、例えば、プラスチック樹脂、より好ましくは有機ガラスで形成される。有機ガラスは、透明樹脂を意味し、ポリカーボネート樹脂、ポリエステル樹脂、アクリル樹脂等が挙げられる。飲食容器１００には、例えば、トライタン（登録商標）が用いられる。飲食容器１００は、その一部または全体が色彩を有してもよい。色彩は、上記有機ガラスやＡＢＳ樹脂やポリプロピレン樹脂などに施されてもよい。また、全体もしくは一部を、例えば、フロスト仕上げや、梨地仕上げしてもよい。
【００４１】
また、色の異なる材料により例えば、二重成型することで途中から色を変えたり、内側と外側の色を変えても良い。例えば、ブロー成型で形成する際においてプリフォームを台座部３０付近を例えば白色や、黄緑色で成型し、収容部１０付近を透明ピンク色に二重成型し、その後ブロー成型することや、透明黄緑の内側に透明の外側を重ねた後に、ブロー成型することで、装飾することができる。さらに、外面にレリーフを施すことも有効である。また、この際、二色以上（二種類以上）の複数の色を設けても良い。これにより、例えば、台座部３０付近が視認性が高く、収容部１０は内部が見えやすい飲食容器１００ができる。これにより、カラフルでおいしさを引き出す容器となるばかりか、台座部３０の視認性の高まりから、容器にぶつかったりして転がすなどを防止できる。また、汁が飲みやすいことから料理だけでなく、飲み物にも適用でき、チャーハン、カレーライス、プリン、ゼリーなどの料理や、水、炭酸水などの飲料や、ワイン、日本酒、ビールなどのアルコール類など幅広く適用でき、利便性が高い。
【００４２】
また、飲食物の色合いを見せたい場合でも、単に飲食容器１００を透明にするのでなく、わずかにスモーク（黒色）を入れることにより、より飲食物を引き立てることができる。また、カラフルなお菓子類を提供する場合は、飲食容器１００を透光性の高い淡いピンク（薄い赤色など）系にすることで、お菓子の美味しさやかわいらしさを効果的に表現できる。また、緑黄色野菜を提供する場合は、飲食容器１００を透光性の高い淡いピンク系や淡い黄緑色系にすることで、新鮮さを効果的に出すことができる。
【００４３】
また、このようなプラスチック素材を用いることで、飲食容器が大きく形成されても割れにくく、扱いやすいため、安心して食事を楽しんだり、洗浄したりすることができる。さらに、陶器やガラス製の容器と異なり、熱伝導性が少ないため、料理の温度が持続しやすい。
【００４４】
また、プラスチック素材を用いることで、軽量化を図ることができる。例えば、小型（縁部の広さが直径１２０ｍｍ〜１４０ｍｍ相当）の場合、飲食容器１００を１４０ｇ〜５００ｇに成形でき、大型（縁部の広さが直径１４０ｍｍ〜２００ｍｍ相当）の場合、２５０ｇ〜１０００ｇに成形できるので、取扱いやすくなる。
【００４５】
飲食容器１００は、例えば射出成形やブロー成形（中空成形）で形成される。肉厚部分は、二重成形が用いられてもよい。例えば、ブロー成形で、溶融された材料をパイプ状に押し出し（パリソン）、パリソン内に圧縮エアーを吹き込んで材料を金型に押し当てて、冷却、固化させて、収容部を形成することができる。
【００４６】
なお、ブロー成形の場合、一般的に、縁部は、平面視円形であり、平面視上端が平らな形状が作りやすく、肉厚も均等にしやすい。また、後加工もしやすい。
【００４７】
以上、本実施形態について説明した。本実施形態によれば、どんぶりや皿などの器を使用する料理において使い勝手がよい飲食容器が提供される。本実施形態に係る飲食容器は、脚部２０を備えるため、脚部２０を手で握ると、胴部１２の底面が握った手の上に載置されて安定し、配膳時に持ち運びが容易となる。また、喫食に際しても、料理の汁が飲みやすくなる。さらに、本実施形態に係る飲食容器は熱が伝わりにくく、飲食容器を手で持ったときに、手が熱くなりにくい。また、飲食容器を洗浄した後は、脚部を逆さに吊るしておけば、容易に乾燥させることができる。
【００４８】
本実施形態に係る飲食容器は、収容部が透明に形成されており、容器の中の料理が見やすく、目で楽しむことができる。そのため、丼物や汁物の麺料理だけでなく、パスタなどの汁なしの麺料理や、あんかけ、サラダ、フルーツ、ゼリーなど、様々な料理に使用することができる。
【００４９】
＜変形例１＞
図５は、変形例１に係る飲食容器の一例である飲食容器１００ａを示す図である。飲食容器１００ａは、収容部１０ａと、脚部２０ａと、台座部３０ａと、蓋部４０ａとを含む。飲食容器１００ａは、脚部２０ａと台座部３０ａとが一体に形成され、収容部１０ａがこれらとは別体に形成される。
【００５０】
収容部１０ａは、縁部１１ａと、胴部１２ａと、連結部１３ａと、を含む。縁部１１ａは、前述飲食容器１００と同様に、広い横幅（直径）と、横幅に直交する奥行幅（直径）を有する。
【００５１】
連結部１３ａは、図示のように、脚部２０ａの上端と嵌め合うことで脚部２０ａと接続している。嵌め合う部分の接続をより確実にするために、接着剤などが用いられてもよい。
【００５２】
蓋部４０ａは、開口部４１ａと、摘み部４２ａと、を含む。開口部４１ａは、縁部１１ａよりわずかに大きい直径を有し、端部が摘み部４２ａと反対側に折れ曲がっている。これにより、縁部１１ａに被せたときにずれないよう形成されている。開口部４１ａの端部は、縁部１１ａとの間で嵌め込み合うものであってもよい。摘み部４２ａは、蓋部４０ａを収容部１０ａに被せたり外したりするときに指で摘む部分である。
【００５３】
飲食容器１００ａは、蓋部４０ａを備えることで、料理の温度を飲食者が飲食するまで熱い料理は熱いまま、冷たい料理は冷たいままに保つことができる。そのため、例えば、茶碗蒸しのような蒸し料理などに使い勝手がよい飲食容器を提供することができる。
【００５４】
＜変形例２＞
図６および図７は、変形例２に係る飲食容器の一例である飲食容器１００ｂを示す図で、図６は正面図、図７は平面図である。飲食容器１００ｂは、収容部１０ｂと、脚部２０ｂと、台座部３０ｂと、を含む。飲食容器１００ｂは、収容部１０ｂと脚部２０ｂと台座部３０ｂが一体成形されている。
【００５５】
収容部１０ｂは、縁部１１ｂと、胴部１２ｂと、を含む。縁部１１ｂは、前述飲食容器と同様に、広い横幅（直径）と、横幅に直交する奥行幅（直径）を有する。台座部３０ｂは、飲食容器１００ｂ全体の安定度を保つため、水平方向の横幅または奥行幅が、飲食容器１００ｂの全体の高さの１／２以上とすることが望ましい。
【００５６】
縁部１１ｂは、図７に示すように、平面視略多角形状ないし花びら形状である。図示の例では、縁部１１ｂは、角部１５ｂが６つである略六角形である。縁部１１ｂの形状は、周方向に波をうつ波形状とも言える。縁部１１ｂは、飲み口部である角部１５ｂと、角部１５ｂ同士の間の凹部１６ｂとを含む。角部１５ｂおよび凹部１６ｂは、いずれも折れ曲がる部分が丸みを帯びる形状である。
【００５７】
また、角部１５ｂは、図６に示すように、正面視において上方に膨出している。言い換えれば、縁部１１ｂには、その外周の一部が上方に膨出してなる飲み口部が設けられている。これによって縁部１１ｂは、上下方向に波打つ形状をなしている。
【００５８】
胴部１２ｂは、平面視略円形状である。胴部１２ｂは、縁部１１ｂに隣接する部分が凹部１６ｂに対応して凹んでもよい。
【００５９】
飲食容器１００ｂは、縁部１１ｂを略多角形状ないし花びら形状に形成し、径方向に膨出する角部１５ｂを設けることで、角部１５ｂで飲み口部を構成することができる。また、角部１５ｂを設けることで、縁部１１ｂの強度を高めて、成形時の縁部の撓みを抑制できる。
【００６０】
＜変形例３＞
図８および図９は、変形例３に係る飲食容器の一例である飲食容器１００ｃを示す図で、図８は正面図、図９は平面図である。飲食容器１００ｃは、収容部１０ｃと、取っ手５０ｃと、を含む。
【００６１】
収容部１０ｃは、縁部１１ｃと、胴部１２ｃと、を含む。縁部１１ｃは、前述飲食容器と同様に、広い横幅（直径）と、横幅に直交する広い奥行幅（直径）を有する。
【００６２】
収容部１０ｃは、一例として、平面視略円形状に形成される。なお、楕円形状等他の形状でもよい。収容部１０ｃは、図示のように、深くなるにつれて、幅が一旦大きくなるように拡幅してから、幅が小さくなるように縮幅する形状でもよい。
【００６３】
縁部１１ｃには、飲み口部１４ｃが設けられる。飲み口部１４ｃは、前述飲み口部１４と同様であり、ここでは説明を省略する。ここでは、例えば、２つの飲み口部１４ｃが設けられる。
【００６４】
胴部１２ｃは、平面視略円形状である。胴部１２ｃには、飲み口部１４ｃと対応して、これと同数の流導部１７ｃが設けられる。
【００６５】
流導部１７ｃは、料理が胴部１２ｃから飲み口部１４ｃへ流れる流路となる部分である。一例として、流導部１７ｃは、最大外周部１２１ｃより上方の位置から、飲み口部１４ｃに向かって漸次拡幅する形状である。
【００６６】
収容部１０ｃは、胴部１２ｃの下端に突起状の足部１８ｃが複数設けられる。足部１８ｃは、胴部１２ｃの下端の外周に沿って設けられる。足部１８ｃは、胴部１２ｃと一体に形成されてもよいし、別々に形成されて接続されてもよい。
【００６７】
取っ手５０ｃは、収容部１０ｃの胴部１２ｃに設けられる。また、飲食容器１００ｃでは、胴部１２ｃは、底面が略水平に、またはやや内側に凹状に水平方向でやや広い面積を占めるように形成され、例えば、前述の台座部と水平方向で略同等の面積を占めるように形成される。取っ手５０ｃは、下端部が載置面側に突起状に設けられ、前述の足部１８ｃを兼ねてもよい。
【００６８】
飲食容器１００ｃは、縁部１１ｃが広く形成されても、さらに流導部１７ｃを有するため、料理が飲み口部１４ｃに導かれやすくなり、さらに飲みやすくなる。
【００６９】
なお、飲食容器は、例えば、収容部の内側に湾曲した溝を付けることで縁部の強度を高め、成形時の撓みを抑制することができる。
【００７０】
＜変形例４＞
図１０および図１１は、変形例４に係る飲食容器の一例である飲食容器１００ｄを示す図で、図１０は正面図、図１１は平面図である。飲食容器１００ｄは、収容部１０ｄと、脚部２０ｄと、台座部３０ｄと、を含む。収容部１０ｄは、縁部１１ｄと、胴部１２ｄと、を含む。縁部１１ｄは、平面視略真円形状である。
【００７１】
胴部１２ｄには、装飾が施されている。一例として、図示のように、花びら形状の第１装飾部１２２ｄと、萼形状の第２装飾部１２３ｄとを胴部１２ｄの外周面に施して、バラの花のつぼみのような形状としてもよい。このように、胴部の一部、胴部全体、または飲食容器全体に装飾を施してもよい。
【００７２】
＜変形例５＞
図１２は、変形例５に係る飲食容器の一例である飲食容器１００ｅを示す図である。飲食容器１００ｅは、収容部１０ｅと、脚部２０ｅと、台座部３０ｅと、を含む。収容部１０ｅは、縁部１１ｅと、胴部１２ｅと、を含む。
【００７３】
飲食容器１００ｅは、図示のように、正面視において、上端（開口端）が水平方向（水平面）に対して傾斜している。この傾斜差ｋ（高低差）を、例えば１０ｍｍ〜８０ｍｍ、好ましくは２０ｍｍ〜５０ｍｍとする。このように構成して、高い位置にあるＦ部を飲み口部１４ｅとすることができる。これにより、飲み口部１４ｅの反対側に位置する縁部１１ｅの端面側からは収容部１０ｅが覗きやすく、収容部１０ｅから食材を取り出しやすくなる。なお、ここでは、縁部１１ｅが全体として傾斜しているが、一部分のみ傾斜し、他は水平な構成としてもよい。例えば、縁部１１ｅの上端の一部のみが傾斜する（飲み口部１４ｅ部分のみ傾斜）、または、飲み口部１４ｅと反対側の端部のみが胴部１２ｅに向かって傾斜し、他の部分は載置面と平行となる構成としてもよい。
【００７４】
＜変形例６＞
図１３〜図１４は変形例６に係る飲食容器の一例である飲食容器１００ｆを示す図である。図１３は平面及び正面を示す図、図１４は底面図である。
【００７５】
飲食容器１００ｆは、収容部１０ｆと、脚部２０ｆと、台座部３０ｆとを含む点、収容部１０ｆの縁部１１ｆの横幅Ｗ１及び奥行幅Ｗ２が大きく（広く）形成される点は、前述の飲食容器と同様である。以下では、前述例と異なる点を主として説明する。
【００７６】
収容部１０ｆは、全体として、平面視略四角形状に形成される。収容部１０ｆは、好ましくは、図示のように平面視略正方形である。また、収容部１０ｆは、全体として丸みを帯びる形状である。収容部１０ｆの四角形状の角部の丸みの半径ｒ１２は、例えば内側で２３ｍｍ〜１００ｍｍで、好ましくは２５ｍｍ〜１００ｍｍである。収容部１０ｆの四角形状の辺部の丸みの半径ｒ１１は、角部の丸みの半径より大きく、例えば内側で１１０ｍｍ〜３００ｍｍで、好ましくは、１２０ｍｍ〜２６０ｍｍである。
【００７７】
収容部１０ｆは、一例として、胴部１２ｆが縁部１１ｆに向かって幅が大きくなるように拡幅する形状で、縁部１１ｆが胴部１２ｆよりも幅が大きく形成される。
【００７８】
図１４に示すように、台座部３０ｆは、一例として底面視略円形である。このように、台座部３０ｆは、胴部と異なる形状でもよい。
【００７９】
＜実施形態２＞
図１５は、実施形態２に係る飲食容器の一例である飲食容器１００ｇを示す図で、（ａ）平面図、（ｂ）正面図ないし縦断面図である。飲食容器１００ｇは、収容部１０ｇと、脚部２０ｇと、台座部３０ｇと、蓋部４０ｇとを含む。以下では、前述例と異なる点を主として説明する。
【００８０】
収容部１０ｇは、縁部１１ｇと、胴部１２ｇと、を含む。収容部１０ｇは、平面視略円形のものを図示しているが、略四角形等多角形でもよい。
【００８１】
収容部１０ｇは、大きな外形を有する。縁部１１ｇは、横幅（上端の端から端までの距離が最も長い部分）の下限が１００ｍｍ、好ましくは１１０ｍｍ、より好ましくは１２０ｍｍで、上限が２００ｍｍ、好ましくは１８０ｍｍ、より好ましくは１７０ｍｍである。また、縁部１１ｇは、奥行幅（横幅と直交する上端の端から端までの距離）の下限が１００ｍｍ、好ましくは１１０ｍｍ、より好ましくは１２０ｍｍで、上限が２００ｍｍ、好ましくは１８０ｍｍ、より好ましくは１７０ｍｍである。なお、胴部１２ｇが縁部１１ｇよりも幅広く形成される場合は、胴部１２ｇが上記幅に形成されてもよい。
【００８２】
飲食容器１００ｇは、収容部分の深さＨ１（上端から下端の内壁面までの距離（上下方向の幅））の下限が６０ｍｍ、好ましくは８０ｍｍ、より好ましくは９０ｍｍで、上限が１８０ｍｍ、好ましくは１５０ｍｍ、より好ましくは１３０ｍｍである。
【００８３】
飲食容器１００ｇは、支える部分の高さＨ２（Ｙ方向の全長からＨ１を引いた部分）が、下限が３０ｍｍ、好ましくは４０ｍｍ、より好ましくは５０ｍｍで、上限が１２０ｍｍ、好ましくは１００ｍｍ、より好ましくは９０ｍｍである。
【００８４】
このように大きな収容部１０ｇを支持するため、台座部３０ｇも幅広く形成され、横幅（端から端までの距離が最も長い部分）の下限が９０ｍｍ、好ましくは１００ｍｍ、より好ましくは１１０ｍｍで、上限が２２０ｍｍ、好ましくは２００ｍｍ、より好ましくは１８０ｍｍである。また、台座部３０ｇは、奥行幅（横幅と直交する端から端までの距離）の下限が９０ｍｍ、好ましくは１００ｍｍ、より好ましくは１１０ｍｍで、上限が２２０ｍｍ、好ましくは２００ｍｍ、より好ましくは１８０ｍｍである。台座部３０ｇは、ここでは平面視円形に形成され、直径Ｗｂが上記大きさになっているが、略四角形など多角形でもよい。
【００８５】
このような大きな収容部１０ｇを支持するため、脚部２０ｇの幅Ｄ（太さないし直径）は、下限が８．０ｍｍで、好ましくは１０ｍｍで、より好ましくは１２ｍｍで、上限が３０ｍｍで、好ましくは２５ｍｍで、より好ましくは２０ｍｍである。また、脚部２０ｇは、断面が円形ばかりでなく三角形や多角形、支持柱を組み合わせたものでも良い。
【００８６】
蓋部４０ｇは、開口部４１ｇと、摘み部４２ｇと、を含む。開口部４１ｇは、蓋部４０ｇを収容部１０ｇに被せたときにずれないよう形成される。摘み部４２ｇは、蓋部４０ｇを収容部１０ａに被せたり外したりするときに指で摘む部分である。
【００８７】
本実施形態の飲食容器１００ｇは、外形が大きく、大容量であるにも関わらず、片手で持てるように軽く形成され、蓋部４０ｇを除く部分の質量が４００ｇ以内、好ましくは３５０ｇ以内、より好ましくは２８０ｇ以内である。
【００８８】
飲食容器１００ｇは、例えば、少なくとも収容部１０ｇが透光性を有する素材で形成され、例えば、プラスチック樹脂、より好ましくは有機ガラスで形成される。有機ガラスは、透明樹脂を意味し、ポリカーボネート樹脂、ポリエステル樹脂、アクリル樹脂等が挙げられる。飲食容器１００ｇには、例えば、トライタン（登録商標）が用いられる。飲食容器１００ｇは、その一部または全体が色彩を有してもよい。
【００８９】
本実施形態の飲食容器１００ｇは、収容量が大きいため、ワンプレート料理や弁当、オードブルセットのように、料理を１つの飲食容器１００ｇで盛り付けることができる。また、収容部１０ｇが広い横幅及び奥行幅を有するため、このように盛り付けても箸等で容易に挟み出すことができる。また、収容部１０ｇが上下に幅広く形成され、透明であるため、平面からだけでなく、側面からも盛り付けられた料理を視認でき、飲食者が略全ての角度から料理の状態を確認できる一方、提供者は料理を美しくアレンジして集客力を高めることができる。
【００９０】
その際、料理の色取りは明確な色の違う三種以上を使用した料理（以下「三色料理」とも言う）、また、料理の種類を三種以上組み合わせた料理（以下「三種料理」とも言う）または、三色料理、三種料理を組み合わせた料理にアレンジすることで、華やかなアレンジ料理で視覚的に訴えて注目を集めることができる。さらに、三色料理、三種料理のそれぞれの料理を飲食容器１００ｇに盛り付け、それぞれを隣り合わせに並べることで、さらに注目を集めることができる。飲食容器１００ｇは、蓋つきで中身が目視しやすく衛生的であるため、ショーウインドウの内部に陳列するのではなく、そのまま外に並べることができ、それ自体がショウーウインドウを兼ねて華やかになり集客力を高められる。
【００９１】
また、本実施形態の飲食容器１００ｇは、プレートや、弁当、どんぶりと異なり、収容部１０ｇと台座部３０ｇの間に両者の中央部を連結する柱のような脚部２０ｇを備える。これにより、提供者は脚部２０ｇに手を掛けて飲食物を提供できるため、衛生面で優れている。また、収容部１０ｇが上下方向の幅（高さ）が大きいため、持ち手から縁部までの距離が遠く、縁部に触れることもなくなる。
【００９２】
また、本実施形態の飲食容器１００ｇは、幅広い台座部３０ｇを備えるため、収容部１０ｇを安定して支えることができる。
【００９３】
さらに、本実施形態の飲食容器１００ｇは、蓋部４０ｇを備えるため、料理の乾燥を防ぎ、料理の温度変化を抑え、料理の作り置きがしやすくなる。また、蓋部４０ｇを備えることで、料理を介した飛沫感染を防止できる。
【００９４】
＜実施形態３＞
図１６は、実施形態３に係る飲食容器の一例である飲食容器１００ｈを示す図で、（ａ）平面図、（ｂ）正面図である。飲食容器１００ｈは、収容部１０ｈと、脚部２０ｈと、台座部３０ｈと、蓋部４０ｈとを含む。以下では、前述実施形態ないし例と異なる点を主として説明する。本実施形態の飲食容器１００ｈは、収容部１０ｈが広い横幅及び奥行幅を有し、脚部２０ｈ及び台座部３０ｈがこれを支える形状に形成される点は、図１５に示す飲食容器１００ｇと同様である。
【００９５】
飲食容器１００ｈは、収容部１０ｈが平面視４つの角部がやや膨らむ形状に形成される。蓋部４０ｈは、平面視丸みを有する略四角形状に形成される。
【００９６】
収容部１０ｈは、縁部１１ｈと胴部１２ｈとの接続部分（ｍ）が正面視内側に凹む曲線状（曲率半径が例えば８ｍｍ）に形成される。このように、外周全体に帯状に凹状部分を設けることで、収容部１０ｈの変形を抑制できる。
【００９７】
＜実施形態４＞
図１７は、実施形態４に係る飲食容器の一例である飲食容器１００ｉを示す図で、（ａ）平面図、（ｂ）正面図である。以下では、前述実施形態ないし例と異なる点を主として説明する。
【００９８】
飲食容器１００ｉは、収容部１０ｉと、台座部３０ｉと、一対の握り部６０ｉとを含む。本実施形態の飲食容器１００ｉは、収容部１０ｉが例えば平面視円形に設けられ、大きな直径を有し、台座部３０ｉが幅広く形成される点は、前述実施形態ないし例と同様である。飲食容器１００ｉは、一対の握り部６０ｉを備える点が前述実施形態ないし例と異なる。
【００９９】
飲食容器１００ｉは、飲食物を収容する収容部１０ｉと、テーブル等の載置面と当接する台座部３０ｉが所定距離離して配置される。握り部６０ｉは、この収容部１０ｉと台座部３０ｉを接続する部分で、飲食容器１００ｉの中心線Ａを外した位置に設けられる。すなわち、握り部６０ｉは、収容部１０ｉの下端中央部以外の部分と台座部３０ｉの上端中央部以外の部分を接続するように設けられる。好ましくは、一対の握り部６０ｉは中心線Ａに関して対称に設けられる。
【０１００】
本考案では、収容部が幅広く形成されるため、台座部も幅広く形成されて支えるが、これらの間の脚部を太くするには限界がある。また、収容部の幅が広くなるほど、バランスが取れにくくなる。本実施形態の飲食容器１００ｉは、中心線（中央部）を外して一対の握り部６０ｉを設けることで、大外形の収容部をより支えやすくする。
【０１０１】
また、食事をする際は通常、一方の手でお椀やどんぶりを持ち、他方の手で箸を持って喫食するが、中心線上に設けられる脚部を持つ手が真正面にくると、箸を持つ他方の手の動きの妨げになり得る。そこで、ここでは、握り部６０ｉを、中心を外して側方に設けることで、より喫食しやすくする。
【０１０２】
好ましくは、握り部６０ｉは、手で握りやすいように、中心線Ａに対して凹状に形成される。また、上下方向の距離が同じ場合でも、凹状に設けるほうが手で握る部分を長く形成することができる。
【０１０３】
一例として、握り部６０ｉは、上端が収容部１０ｉの側壁と底壁の接続部分と連なり、下端が台座部３０ｉの中心線Ａと外縁の間の部分と連なるように設けられる。このようにすることで、飲食容器１００ｉを、上下方向では収容部１０ｉの下方、水平方向では中心線Ａと外縁の間でバランスよく支えることができ、また、手でも持ちやすくなる。図示のように、一対の握り部６０ｉの間に所定の空間（間隔）が形成されるため、飲食物の受渡しの場合、一方の握り部６０ｉを提供者が握り、他方の握り部６０ｉを飲食者が握る場合でも、手の接触を避けることができる。
【０１０４】
なお、握り部６０ｉは、３つ以上設けられてもよい。また、後述のように、１つのみ設けられてもよい。握り部６０ｉは、収容部及び台座部と一体に形成されてもよいし、別体に形成され、溶着して上端及び下端を収容部及び台座部に固接されてもよいし、接着して固接されてもよい。また、握り部６０ｉは、上端及び下端の一方が収容部及び台座部の一方とつながるように一体に形成され、他方がこれらと接着または溶着で固設されてもよい。また、接着及び溶着は、固接できればよく、接合面全面で行われてもよいし、一部のみで行われてもよい。
【０１０５】
＜実施形態４の変形例１＞
図１８は、実施形態４の変形例１に係る飲食容器の一例である飲食容器１００ｊの正面図である。以下では、前述実施形態４と異なる点を主として説明する。
【０１０６】
飲食容器１００ｊは、収容部１０ｊと、台座部３０ｊと、一対の握り部６０ｊとを含む。本実施形態の飲食容器１００ｊは、台座部３０ｊ及び握り部６０ｊが前述の実施形態４と異なる。
【０１０７】
本実施形態の飲食容器１００ｊは、台座部３０ｊが、本体部３１ｊと、本体部３１ｊの上端中央部から中心線Ａに沿って上方に突出する柱部３２ｊとを有する。柱部３２ｊは、上下方向の長さが短く、好ましくは、収容部１０ｊの下端と台座部３０ｊの上端との間の距離の略半分以下である。
【０１０８】
握り部６０ｊは、上端が収容部１０ｊの底壁と連なり、下端が台座部３０ｊの柱部３２ｊの外周面と連なるように設けられる。このようにしても、図示のように、握り部６０ｊを中心線Ａに対して凹状に形成し、収容部１０ｊの下方で、中心線Ａを外して側方で把持することができる。なお、握り部６０ｊは前述と同様な方法で形成ないし収容部及び柱部に固接することができる。
【０１０９】
＜実施形態５＞
図１９は、実施形態５に係る飲食容器の一例である飲食容器１００ｋの正面図である。以下では、前述実施形態４と異なる点を主として説明する。
【０１１０】
飲食容器１００ｋは、収容部１０ｋと、脚部２０ｋと、台座部３０ｋと、一つの握り部６０ｋとを含む。本実施形態の飲食容器１００ｋは、主として、脚部２０ｋとともに、握り部６０ｋを備える点が実施形態４と異なる。
【０１１１】
本実施形態の飲食容器１００ｋは、主として、脚部２０ｋで収容部１０ｋを支えるが、飲食容器１００ｋを持つ場合は、脚部２０ｋ及び握り部６０ｋの両方を用いることができる。そのため、情況に応じて両者を適宜使うことができる。
【０１１２】
握り部６０ｋは、上端が収容部１０ｋの上下端の中間位置よりも下方の部分と連なり、下端が台座部３０ｋの外縁近辺と連なるように設けられる。このように設けることで、脚部２０ｋとの間で所定の間隔を保ち、互いに干渉することなく、それぞれの機能を果たせるようになる。
【０１１３】
飲食容器１００ｋは、脚部２０ｋを有することで全長（全体の高さ）が大きくなるため、握り部６０ｋを収容部の上下端の中間位置よりも下方に設けることでバランスよく把持できるようになる。
【０１１４】
＜実施形態６＞
図２０は、実施形態６に係る飲食容器の一例である飲食容器１００ｌを示す図で、（ａ）平面図、（ｂ）正面図である。以下では、前述実施形態５と異なる点を主として説明する。
【０１１５】
飲食容器１００ｌは、収容部１０ｌと、脚部２０ｌと、台座部３０ｌと、一つの握り部６０ｌとを含む。本実施形態の飲食容器１００ｌは、主として、収容部１０ｌ及び握り部６０ｌが前述実施形態５と異なる。
【０１１６】
収容部１０ｌは、前述例と異なり、中心線Ａに対して非対称に形成される。より具体的には、図示のように、収容部１０ｌは、握り部６０ｌが位置する右側が平面視直線状の部分を含み、その反対の左側が平面視半円状になっている。
【０１１７】
このように設けることで、収容部１０ｌは、平面視直線状の側壁部分と底壁との接続部分である角部に、飲食物を寄せてスプーンなどを当てて掬いやすくなる。また、握り部６０ｌの反対側のほうに飲食物が多く収容されるので、喫食しやすくなる。
【０１１８】
握り部６０ｌは、ここでは、上端が収容部１０ｌの側壁の上下端の中間位置よりやや下方の部分と連なり、下端が台座部３０ｌの外縁の内側に設けられる。図示のように、握り部６０ｌは、手が握る部分が下方内側に傾斜するように設けられてもよい。
【０１１９】
なお、本考案に係る飲食容器は、上記実施形態及び変形例の構成要素を組み合わせてなるものでもよい。例えば、すべての実施形態ないし変形例に係る飲食容器が蓋部を備えるものであってもよい。
【０１２０】
＜飲食物提供方法＞
以下では、上記飲食容器を用いた飲食物提供方法について説明する。
【０１２１】
好ましくは、上記飲食容器に、複数の食材を組合せて（アレンジして）提供する。アレンジする際には、色彩（要素１）、大きさ（要素２）、形状（要素３）、食材種別（要素４）を考慮する。食材種別としては、野菜、肉、魚、穀物食品（菓子、パン、麺類）などが考えられる。
【０１２２】
上記要素を考慮して、相違点を３つ以上、好ましくは４つ以上、より好ましくは５つ以上含むように飲食物をアレンジして提供する。一例として、上記要素１〜要素４から、２以上、好ましくは３以上の候補を選択し、これらを組み合わせて、相違点を付ける。
【０１２３】
図２１は、本考案に係る飲食容器の飲食物提供方法の一例を示す図である。図示の飲食物提供方法（提供物７００）は、例えば、お菓子（マカロン）の提供方法である。ここでは、飲食容器１００ｍは、上記のいずれの飲食容器で、蓋部を備え、淡いピンク色である。飲食物８００は、色彩要素として、乳白色、黄色、オレンジ色、ピンク、紫、緑を候補として選択し、食材種別として選択したお菓子と組み合わせることで、５つの相違点を含む飲食物を提供している。
【０１２４】
提供物７００は、飲食容器のままプレゼントや贈り物として提供することができる。また、提供物７００を包装しても良いし、このままリボンなどを掛けて提供しても良い。
【０１２５】
図２２は、本考案に係る飲食容器の飲食物提供方法の一例を示す図である。図示の飲食物提供方法は、例えば、お菓子（マカロン）の提供方法である。ここでは、飲食物の色彩に応じて飲食容器１００ｍの色彩をアレンジしている。
【０１２６】
例えば、透明の飲食容器１０１ｍには乳白色、黄色、オレンジ色の黄色系の色彩の飲食物８００ａが提供され、ピンク色の飲食容器１０２ｍにはピンクとラベンダーのピンク系の色彩の飲食物８００ｂが提供され、緑色の飲食容器１０３ｍには緑色及び２色（片面が緑、片面が黄色）の飲食物８００ｃが提供される。なお、これらの飲食容器は、収容する飲食物の色を美しく見えるような色を選択し、例えば薄色のものが選択される。
【０１２７】
ここでは、アレンジした提供物７０１ａ、７０１ｂ及び７０１ｃは並んで提供される。このように、中身が美しく映し出されるように陳列することで、ショーケース、ショーウインドウのない、飲食容器を用いた魅せる陳列方法を実現できる。
【０１２８】
図２３は、本考案に係る飲食容器の飲食物提供方法の一例を示す図である。図示の飲食物提供方法は、例えば、果物（苺）の提供方法である。
【０１２９】
苺などの果物は新鮮さが重要である。また、苺は品種改良された結果、多くの種類が市販され、味の違いを楽しむ飲食者が少なくない。このような飲食物８００ｂは、図示のように、断面を見せるようにアレンジする提供物７００ｂとすることができる。これにより、果物の新鮮さをアピールするとともに、その品種の色合いや果肉質などを見せることで、購買欲をそそることができる。
【０１３０】
このような提供方法は、サクランボ、リンゴ、ナシ、かんきつ類等の果物に好適である。また、図示しないが、２種以上の果物を組み合わせてアレンジして提供してもよい。また、これら果物はカットせず、そのまま飲食容器１００ｍ内に収容されてもよい。
【０１３１】
提供物７００ｂは、飲食容器のままプレゼントや贈り物として提供することができる。また、提供物７００ｂを包装しても良いし、このままリボンなどを掛けて提供しても良い。
【０１３２】
図２４は、本考案に係る飲食容器の飲食物提供方法の一例を示す図である。図示の飲食物提供方法は、例えば、ランチ等の弁当（提供物）７００ｃの提供方法である。本考案に係る飲食容器は、ランチ等の弁当７００ｃの提供にも好適である。
【０１３３】
弁当７００ｃは、飲食容器１００ｍに、飲食物８００ｃが収容されたものである。飲食容器１００ｍは、上記のいずれの飲食容器で、蓋部を備える。
【０１３４】
飲食物８００ｃは、例えば、主食で白色のごはん８０１ｃと、主菜で茶色の肉料理８０２ｃと、副菜で緑のズッキーニ料理８０３ｃと、副菜で赤のトマト料理８０４ｃとを含む。また、飲食物８００ｃは、さらに、白色及び黄色の卵料理８０５ｃと、緑の香味料８０６ｃがトッピングされてもよい。
【０１３５】
このように弁当７００ｃを提供することで、提供者は弁当７００ｃをすべての角度から見えるように、弁当を見せる料理として提供できる。また、提供者が色彩や栄養バランスを考慮してアレンジした料理は、飲食者に視覚で見えるようになるので、購買力のアップにもつながる。また、本考案の飲用容器は、前もって盛り付ける（アレンジする）ことができるので、余裕をもって提供できる。
【０１３６】
また、弁当７００ｃは、飲食容器の収容量が大きく、主食及び主菜、副菜を１つの容器で提供できるため、料理時に盛り付ければ、その後蓋部を開ける必要はなく、衛生面でも好適である。また、見せる料理として提供しても、蓋部を有するため、飛沫感染の心配はない。また、脚部や握り部を有するため、収容部特に縁部に指を掛けることがなくなり、衛生面で優れている。
【０１３７】
なお、従来のビュッフェスタイルは、見せる料理の提供方法ではあるが、飛沫感染の観点から敬遠する飲食者もいる。本考案の飲食容器は、従来のビュッフェスタイルの料理をアレンジして提供するものとしても好適である。
【０１３８】
提供物７００ｃは、洋食と中華、和食と言った取り合わせをアレンジすることや、野菜、果物（例えばイチゴ、アボカドなど）と主食（ごはん、パン、パスタ、そば、麺類など）や肉、魚類を組み合わせることができる。
【０１３９】
提供物７００ｃは、中身が蓋部を取らずとも、横から見えるので、飲食者は誤ることなく自分の好みに合うものを選択でき、提供者も誤ることなく提供できる。
【０１４０】
図２５は、本考案に係る飲食容器の飲食物提供方法の一例を示す図である。図示の飲食物提供方法は、例えば、刺身等の盛り合わせ料理（提供物）７００ｄの提供方法である。本考案に係る飲食容器は、このような料理の提供にも好適である。
【０１４１】
本考案に係る料理は、上下幅も大きいため、上方からだけでなく、側方からも視認でき、より立体的に料理を見せることができる。例えば、飲食物８００ｄが、刺身８０１ｄと、野菜８０２ｄと、野菜８０３ｄを含む場合、刺身８０１ｄを上方からだけでなく、側方など様々な角度から美しく見えるようにアレンジすることができる。
【０１４２】
なお、収容部や蓋部は、透光性を有するものであればよく、必ずしも透明でなくてもよい。収容部及び蓋部の一方または双方は、色彩を付したり、色違いにしたり、不透明度を変えたりすることで、色合いや見え方の違いを味わうこともできる。
【０１４３】
なお、図示しないが、横（側方）からも見えるため、握りずしや、うな丼やかつ丼などのいわゆる丼ものなどを今までと異なる見せ方、例えば、２層、３層に重ねて盛り付けることができる。
【０１４４】
本考案の飲食容器によれば、例えば、今までの醤油を主とした、たれの色を鮮やかに見せるアレンジ方法、例えば、丼ものに生野菜やフルーツを縦方向、横方向に載せたり、挟んだりして境を設けるアレンジ方法など、様々なアレンジ方法が考えられ、より魅力的なアレンジ方法が創出される。
【０１４５】
以上、本考案に係る飲食容器の実施形態について説明したが、これらは本考案の一例に過ぎず、本考案はこれらに限定されるものではない。本考案には、以上の各実施形態や変形例を組み合わせた形態や、さらに様々な変形例が含まれる。実用新案登録請求の範囲に規定された内容およびその均等物から導き出される本考案の概念的な思想と趣旨を逸脱しない範囲で種々の追加、変更および部分的削除が可能である。
【符号の説明】
【０１４６】
１００，１００ａ，１００ｂ，１００ｃ，１００ｄ，１００ｅ，１００ｆ，１００ｇ，１００ｈ，１００ｉ，１００ｊ，１００ｋ，１００ｌ：飲食容器
１０，１０ａ，１０ｂ，１０ｃ，１０ｄ，１０ｅ，１０ｆ，１０ｇ，１０ｈ，１０ｉ，１０ｊ，１０ｋ，１０ｌ：収容部
１１，１１ａ，１１ｂ，１１ｃ，１１ｄ，１１ｅ，１１ｆ，１１ｇ，１１ｈ，１１ｉ，１１ｊ，１１ｋ，１１ｌ：縁部
１２，１２ａ，１２ｂ，１２ｃ，１２ｄ，１２ｅ，１２ｆ，１２ｇ，１２ｈ，１２ｉ，１２ｊ，１２ｋ，１２ｌ：胴部
１３ａ：連結部
１４ｃ：飲み口部
１５ｂ：角部
１６ｂ：凹部
１７ｃ：流導部
２０，２０ａ，２０ｂ，２０ｃ，２０ｄ，２０ｅ，２０ｆ，２０ｇ，２０ｈ，２０ｋ，２０ｌ：脚部
３０，３０ａ，３０ｂ，３０ｃ，３０ｄ，３０ｅ，３０ｆ，３０ｇ，３０ｈ，３０ｉ，３０ｊ，３０ｋ，３０ｌ：台座部
４０ａ，４０ｇ，４０ｈ：蓋部
４１ａ，４１ｇ，４１ｈ：開口部
４２ａ，４２ｇ，４２ｈ：摘み部
５０ｃ：取っ手
６０ｉ，６０ｊ，６０ｋ，６０ｌ：握り部
【図１】
0003232419.tif 000003
【図２】
0003232419.tif 000004
【図３】
0003232419.tif 000005
【図４】
0003232419.tif 000006
【図５】
0003232419.tif 000007
【図６】
0003232419.tif 000008
【図７】
0003232419.tif 000009
【図８】
0003232419.tif 000010
【図９】
0003232419.tif 000011
【図１０】
0003232419.tif 000012
【図１１】
0003232419.tif 000013
【図１２】
0003232419.tif 000014
【図１３】
0003232419.tif 000015
【図１４】
0003232419.tif 000016
【図１５】
0003232419.tif 000017
【図１６】
0003232419.tif 000018
【図１７】
0003232419.tif 000019
【図１８】
0003232419.tif 000020
【図１９】
0003232419.tif 000021
【図２０】
0003232419.tif 000022
【図２１】
0003232419.tif 000023
【図２２】
0003232419.tif 000024
【図２３】
0003232419.tif 000025
【図２４】
0003232419.tif 000026
【図２５】
0003232419.tif 000027